【事件の表示】
　特許第２７５８８８０号「ドライシェービング装置」の請求項１ないし１９に係る特許に対する特許異議の申立てについて、次のとおり決定する。
【結　論】
　訂正を認める。
　特許第２７５８８８０号の請求項１ないし１７に係る特許を維持する。
【理　由】
第１　手続の経緯
　本件特許第２７５８８８０号は、平成４年１２月１８日（パリ条約による優先権主張１９９１年１２月２０日、イギリス）に出願された特願平５−５１１４２０号の一部を特許法第４４条第１項の規定による出願の分割により、平成８年２月１４日（パリ条約による優先権主張１９９１年１２月２０日、イギリス）に新たな特許出願とされたものであり、平成１０年３月１３日にその特許権の設定登録がなされ、その後、平成１０年１１月３０日に松下電工株式会社より全請求項に係る特許について特許異議の申立てがなされ、取消しの理由が通知され、その指定期間内である平成１１年７月６日に訂正請求（後日取下げ）がなされた後、再度取消しの理由が通知され、その指定期間内である平成１２年６月２６日に訂正請求がされたものである。
　
第２　訂正の適否についての判断
１　訂正の内容
　特許権者が求めている訂正の内容は、登録時の明細書（以下「登録明細書」という。）の特許請求の範囲の請求項１ないし請求項１９において、請求項３及び請求項８を削除し、請求項５を請求項６とし、以下項番を繰り上げるとともに、請求項１ないし３、６、１６及び１７を以下のように訂正するというものである。
請求項１
「【請求項１】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　前記シェービングユニット（１３，１４．１５）の１つは、浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
外部カッタ（１６、１７、２０）は、共通のシェービングヘッドフレーム（１９、６０）内に全てが装着され、少なくとも一つの内部カッタ（２１、２２、１６、１７）およびそれぞれの付勢エレメント（４０ａ、４０ｂ，３４１）は、シェ一ビングヘッドフレーム内に装着され、単一のアセンブリとして外部カッタと共に取り外し可能になっていることを特徴とする、ドライシェービング装置。」
請求項２
「【請求項２】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取り外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　各シェービングユニットは、付勢エレメントを有し、そのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェ−ビングヘッドフレームの内壁に形成されたガイド溝内のガイドエレメントにより移動可能に設置され、
　外部カッタ（１６、１７、２０）は、共通のシェービングヘッドフレーム（１９、６０）内に全てが装着され、少なくとも一つの内部カッタ（２１、２２、３４）およびそれぞれの付勢エレメント（４０ａ、４０ｂ，３４１）は、シェービングヘッドフレーム内に装着され、シェーバーヘッドの一部として外部カッタと共に取り外し可能になっていることを特徴とする、ドライシェービング装置。」
請求項３
「【請求項３】１つのシェービングユニット（１３、１４）の付勢エレメント（４０ａ、４０ｂ）は、更なるシェービングユニット（１５）の付勢エレメント（３４１）とは異なる特性を有し、シェービングの間、同一の力の影響下で異なる量だけロングヘアカッタとして構成されたシェービングユニット（１５）が後退すなわち浮動動作可能である、請求項１記載のドライシェービング装置。」
請求項６
「【請求項６】　内部カッタおよび付勢エレメントが、共通のシェービングヘッドフレーム内に全てが装着されていることを特徴とする、請求項１乃至５のいずれか１項記載のドライシェービング装置。」
請求項１６
「【請求項１６】　ハウジング（１）内に設けられたドライブと、
　前記ハウジング（１）に取り付けられたシェービングヘッドフレーム（１８）と、
　前記シェービングヘッドフレーム（１８）に取外し可能に取り付けられたフレーム（１９）と、
　前記フレーム（１９）内で互いに平行に配置された第１、第２および第３のシェービングユニット（１３、１４、１５）と、
を備えるドライシェービング装置であって、
　前記第１、第２および第３のシェービングユニット（１３、１４、１５）は、それぞれ、外部カッタ（１６、１７、２０）、内部カッタ（２１、２２、３４）および少なくとも１つの付勢エレメント（３１、３２、３３、４５）を有し、付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
　前記外部カッタ（１６、１７、２０）のそれぞれは前記フレーム（１９）に取り付けられており、
　前記第３のシェービングユニット（１５）についての前記内部カッタ（３４）および前記付勢エレメント（４５）は、対応の前記外部カッタ（２０）に結合されており、
　前記第１および第２のシェービングユニット（１３，１４）についての前記外部カッタ（１６，１７）並びに前記第３のシェービングユニット（１５）についての前記外部カッタ（２０）、前記内部カッタ（３４）および前記付勢エレメント（４５）が前記フレーム（１９）と一体的に、前記シェービングヘッドフレーム（１８）から取り外されるよう構成されていることを特徴とするドライシェービング装置。」
請求項１７
「【請求項１７】　ハウジング（１）内に備えられたドライブと少なくとも２つの平行シェービングユニット（１３、１４、１５）とを備え、各シェービングユニットは、それぞれの外部カッタ（１６、１７、２０）、内部力ッタ（２１、２２、３４）および少なくとも１つの付勢エレメント（３１、３２、３３、４５）を有し、付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
　１つのシェービングユニット（１３、１４、１５）の付勢エレメント（３１、３２）は他のシェービングユニット（１３、１４、１５）の付勢エレメント（３３）とは異なる特性を有し、その為、シェービングユニット（１３、１４、１５）に外力が作用している場合、前記１つのシェービングユニット（１３、１４、１５）が他のシェービングユニット（１３、１４、１５）に対し運動可能である、ドライシェービング装置。」
　
２　訂正の目的の適否、新規事項の有無及び拡張・変更の存否
（１）　訂正後の請求項１に係る訂正について
　訂正後の請求項１に係る訂正は、シェービングユニットに関し、「前記シェービングユニット（１３，１４．１５）の１つは、浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され」る点を、新たに限定しようとするものであるところ、
　登録明細書の発明の詳細な説明の段落番号【００１８】に、
「図４は、ショートヘアカッタシェービングユニット１３、１４に関連する移動可能なロングヘアカッタ１５を有するドライシェーバの他の実施例を示している。」及び「内部カッタ２１、２２と、結合エレメント２３のロングヘアカッタとして構成されたシェービングユニット１５との配置と構成は、図２と図３の実施例に対応している。」と記載され、
同【００１９】に、
「シェービングユニット１５は、両端部でシェービングヘッドフレーム６０の内壁４９に形成されたガイド溝（図示しない）内のガイドエレメント４７、４８の手段により移動可能に設置されている。」
と記載されているから、請求項１に係る訂正事項は、登録明細書に記載されているものと認める。
　そうすると上記訂正は、登録明細書に記載された事項の範囲内において、少なくとも２つのシェービングユニットを限定したものといえるから、特許請求の範囲の減縮を目的とするものに該当し、新規事項の追加に該当しない。
　そして、上記訂正は実質上特許請求の範囲を拡張し、又は変更するものでもない。
　
（２）　訂正後の請求項２に係る訂正について
　訂正後の請求項２に係る訂正は、シェービングユニットに関し、「各シェービングユニットは、付勢エレメントを有し、そのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェ−ビングヘッドフレームの内壁に形成されたガイド溝内のガイドエレメントにより移動可能に設置され」る点を、新たに限定しようとするものであるところ、
　登録明細書の発明の詳細な説明の段落番号【００１３】に、
「ショートヘアシェービングユニット１３、１４の２つの内部カッタ２１、２２は、フレーム１９にアーチ状に設置された外部カッタ１６、１７にそれぞれ接しており、外部カッタ１６、１７は、シェービングフォイルとして構成されるのが好ましい。」と記載され、
同【００１５】に、
「ロングヘアカッタとして構成され、外部カッタ２０と、内部カッタ３４と、スプリング４５と、結合エレメント４６を有するシェービングユニット１５は、レセプタクルカバー３０に動作可能に結合して、結合エレメント２３に結合する。シェービングユニット１５の構造と配置をより詳細に図３に示し、前に用いた参照番号にて、以下により詳細に述べる。」と記載され、
同【００１６】に、
 「外部カッタ２０の両端部において、カッタには、ガイドエレメント４７、４８、が設けられていて、取外し可能なフレーム２９の内壁４９、５０に形成されたガイド溝５１、５２内を介して移動可能に設置される。ガイドエレメント４７、４８には、スプリング４５用カウンタベアリングとして、結合エレメント４６上に横たわる結合エレメントの方に延びるベアリングアーム５３、５３が備えられている。結合エレメント４６と、スプリング４５と、内部カッタ３４は、互いに固く接続されている。従って、外部カッタ２０に対して、ベアリングアーム５３、５４と係合するスプリング４５の手段により内部カッタ３４が押圧される。」
と記載されているから、請求項２に係る訂正事項は、登録明細書に記載されているものと認める。
　そうすると上記訂正は、登録明細書に記載された事項の範囲内において、シェービングユニットを限定したものといえるから、特許請求の範囲の減縮を目的とするものに該当し、新規事項の追加に該当しない。
　そして、上記訂正は実質上特許請求の範囲を拡張し、又は変更するものでもない。
　
（３）　訂正後の請求項３に係る訂正について
　訂正後の請求項３に係る訂正は、訂正前の請求項４において、「シェービングユニット（１３、１４、１５）が後退する」を「ロングヘアカッタとして構成されたシェービングユニット（１５）が後退すなわち浮動動作可能である」と訂正するものであるところ、
　登録明細書の発明の詳細な説明の段落番号【００４２】に、
「図１６は、本発明によるドライシェービング装置の他の実施例の等寸大分解図であり、ここで中央のロングヘアカッタ１５は二つのショートヘアカッタ１３、１４に関し浮動的な動作の為に取り付けられている。」と記載され、
【００４５】に、
「図１６は、ロングヘアトリマー１５に対するアンダーカッタ３４を支持する個々のコンポーネントを示す。これらのコンポーネントはフラットスプリング３４１および２つの傾斜ガイドメンバ３４２、３４３を有し、これらはアンダーカッタ３４にリベットで取り付けられる。フラットスプリング３４１の特性は、シェービング間の浮動的動作を許容するように調整される。」
と記載されているから、請求項３に係る訂正事項は、登録明細書に記載されているものと認める。
　そうすると上記訂正は、登録明細書に記載された事項の範囲内において、シェービングユニットを限定したものといえるから、特許請求の範囲の減縮を目的とするものに該当し、新規事項の追加に該当しない。
　そして、上記訂正は実質上特許請求の範囲を拡張し、又は変更するものでもない。
　
（４）　訂正後の請求項６に係る訂正について
　訂正後の請求項６に係る訂正は、訂正前の請求項５における「各シェービングユニット（１３、１４、１５）は、付勢エレメントを有し、そのスプリングの効果により、内部カッタ（２１、２２、３４）が外部カッタ（１６、１７、２０）に係合して保持される」を「内部カッタおよび付勢エレメントが、共通のシェービングヘッドフレーム内に全てが装着されている」と訂正するものであるところ、
　登録明細書の発明の詳細な説明の段落番号【０００８】に、
「また、本発明の他の態様によれば、シェーバ本体と、各々がシェーバ本体に関連する動作用に設置され、底が開いたアーチ形のシェービングフォイルを有する、内部結合した少なくとも２つのシェービングユニットを備える取外し可能なシェーバヘッドと、付勢力が内部カッタをフォイルと接するように押し続け、フォイルのシェービング動作を達成するときのフォイル軸に沿った往復運動動作用に設置された各フォイルのアーチ形内の内部カッタと、各カッタ用の付勢力を供給する付勢エレメントと、往復動作の方向に対して横切る各カッタの動きに対応しながら、往復動作を供給するドライブ手段とを備えるドライシェービング装置が提供されており、各カッタと、対応する付勢エレメントが、シェーバヘッドの部品として取外し可能なシェービングユニット内に設置されている。」
と記載されているから、請求項６に係る訂正事項は、登録明細書に記載されているものと認める。
　そうすると上記訂正は、登録明細書に記載された事項の範囲内において、内部カッタ及び付勢エレメントを限定したものといえるから、特許請求の範囲の減縮を目的とするものに該当し、新規事項の追加に該当しない。
　そして、上記訂正は実質上特許請求の範囲を拡張し、又は変更するものでもない。
　
（５）　訂正後の請求項１６に係る訂正について
　訂正後の請求項１６に係る訂正は、訂正前の請求項１８において、シェービングユニットに「付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され」る点を、新たに限定しようとするものであるところ、
　登録明細書の発明の詳細な説明の段落番号【００１３】に、
「ショートヘアシェービングユニット１３、１４の２つの内部カッタ２１、２２は、フレーム１９にアーチ状に設置された外部カッタ１６、１７にそれぞれ接しており、外部カッタ１６、１７は、シェービングフォイルとして構成されるのが好ましい。」と記載され、
同【００１５】に、
「ロングヘアカッタとして構成され、外部カッタ２０と、内部カッタ３４と、スプリング４５と、結合エレメント４６を有するシェービングユニット１５は、レセプタクルカバー３０に動作可能に結合して、結合エレメント２３に結合する。シェービングユニット１５の構造と配置をより詳細に図３に示し、前に用いた参照番号にて、以下により詳細に述べる。」と記載され、
同【００１６】に、
 「外部カッタ２０の両端部において、カッタには、ガイドエレメント４７、４８、が設けられていて、取外し可能なフレーム２９の内壁４９、５０に形成されたガイド溝５１、５２内を介して移動可能に設置される。ガイドエレメント４７、４８には、スプリング４５用カウンタベアリングとして、結合エレメント４６上に横たわる結合エレメントの方に延びるベアリングアーム５３、５３が備えられている。結合エレメント４６と、スプリング４５と、内部カッタ３４は、互いに固く接続されている。従って、外部カッタ２０に対して、ベアリングアーム５３、５４と係合するスプリング４５の手段により内部カッタ３４が押圧される。」
と記載されているから、請求項１６に係る訂正事項は、登録明細書に記載されているものと認める。
　そうすると上記訂正は、先の請求項２に係る訂正と同様に、登録明細書に記載された事項の範囲内において、シェービングユニットを限定したものといえるから、特許請求の範囲の減縮を目的とするものに該当し、新規事項の追加に該当しない。
　そして、上記訂正は実質上特許請求の範囲を拡張し、又は変更するものでもない。
　
（６）　訂正後の請求項１７に係る訂正について
　訂正後の請求項１７に係る訂正は、訂正前の請求項１９において、シェービングユニットに「付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され」る点を、新たに限定しようとするものであるところ、
　登録明細書の発明の詳細な説明の段落番号【００１３】に、
「ショートヘアシェービングユニット１３、１４の２つの内部カッタ２１、２２は、フレーム１９にアーチ状に設置された外部カッタ１６、１７にそれぞれ接しており、外部カッタ１６、１７は、シェービングフォイルとして構成されるのが好ましい。」と記載され、
同【００１５】に、
「ロングヘアカッタとして構成され、外部カッタ２０と、内部カッタ３４と、スプリング４５と、結合エレメント４６を有するシェービングユニット１５は、レセプタクルカバー３０に動作可能に結合して、結合エレメント２３に結合する。シェービングユニット１５の構造と配置をより詳細に図３に示し、前に用いた参照番号にて、以下により詳細に述べる。」と記載され、
同【００１６】に、
 「外部カッタ２０の両端部において、カッタには、ガイドエレメント４７、４８、が設けられていて、取外し可能なフレーム２９の内壁４９、５０に形成されたガイド溝５１、５２内を介して移動可能に設置される。ガイドエレメント４７、４８には、スプリング４５用カウンタベアリングとして、結合エレメント４６上に横たわる結合エレメントの方に延びるベアリングアーム５３、５３が備えられている。結合エレメント４６と、スプリング４５と、内部カッタ３４は、互いに固く接続されている。従って、外部カッタ２０に対して、ベアリングアーム５３、５４と係合するスプリング４５の手段により内部カッタ３４が押圧される。」
と記載されているから、請求項１７に係る訂正事項は、登録明細書に記載されているものと認める。
　そうすると上記訂正は、先の請求項２に係る訂正と同様に、登録明細書に記載された事項の範囲内において、シェービングユニットを限定したものといえるから、特許請求の範囲の減縮を目的とするものに該当し、新規事項の追加に該当しない。
　そして、上記訂正は実質上特許請求の範囲を拡張し、又は変更するものでもない。
　
３　独立特許要件
（１）　訂正発明
　訂正明細書の請求項１、２、３、６、１６及び１７に係る発明は、上記第２の１で示したとおりのものである。また、訂正明細書の請求項４、５及び７ないし１５に係る発明は、その特許請求の範囲の請求項４、５及び７ないし１５に記載される次の事項により特定されるとおりのものである。
請求項４
「【請求項４】　１つの付勢エレメントだけが、各シェービングユニット（１３、１４、１５）に備えられている、請求項１乃至３のいずれか１項記載のドライシェービング装置。」
請求項５
「【請求項５】 各付勢エレメントは、駆動エレメント（６ａ、６ｂ、６ｃ）および関連するシェービングユニット（１３、１４、１５）の内部カッタ間に配置されている、請求項４記載のドライシェービング装置。」
請求項７
「【請求項７】 前記ロングヘアカッタは、ショートヘアカッタとして構成された２つのシェービングユニット（１６、１７）間に配置されている、請求項６記載のドライシェービング装置。」
請求項８
「【請求項８】　ロングヘアカッタとして構成されたシェービングユニット（１５）の内部カッタ（３４）は、Ｕ字形弓状の外部力ツタ（２０）により囲まれている、請求項７記載のドライシェービング装置。」
請求項９
「【請求項９】 各内部カッタおよび付随する付勢エレメントは、付随するシェービングユニット内に装着され、その一部として取り外し可能になっている、請求項１乃至８のいずれか１項記載のドライシェ一ピング装置。」
請求項１０
「【請求項１０】 各内部カッタは、開放底部を有し、そこから、付随する外部カッタの内面と剪断において協働するための一部円筒状の切断面を画成する外方向に凸状弓形の複数の橋状カッタエレメントを伸ばす、請求項１乃至９のいずれか１項記載のドライシェービング装置。」
請求項１１
「【請求項１１】 各力ツタは、
ｉ） カッタの縦に伸び、それぞれの橋状エレメントの第１端部と結合する、第１支持梁と；
ｉｉ）カッタの縦に伸び、それぞれの橋状エレメントの第２端部と結合する、第２支持梁と；
ｉｉｉ）往復駆動を受けるための往復手段であって、上記支持梁の少なくとも１つに置かれる、請求項１０記載のドライシェービング装置。」
請求項１２
「【請求項１２】 前記往復手段は、少なくとも１つの梁に装着されたヨークを備える、請求項１１記載のドライシェービング装置。」
請求項１３
「【請求項１３】 上記あるいは各ヨークは、その梁の中央に装着されている、請求項１２記載のドライシェービング装置。」
請求項１４
「【請求項１４】　上記あるいは各ヨークは、駆動部材を受容する穴を画成する、請求項１０または１１記載のドライシェービング装置。」
請求項１５
「【請求項１５】　各外部カッタは、開放底部の弓状シェービングフォイルである、請求項１乃至１４のいずれか１項記載のドライシェービング装置。」
　なお、本件特許に係る出願については、１９９１年１２月２０日に英国において出願した２つの特許出願に基づいてパリ条約第４条の規定による優先権の主張をしているが、本件訂正明細書の各請求項に係る発明は、上記２つの特許出願の明細書及び図面のいずれにも開示されていないので上記優先権の主張を認めることはできない。
　
（２）　引用刊行物
　登録明細書の請求項１ないし１９に係る特許が特許法第２９条第２項の規定に違反してなされたものであるとして、当審が平成１２年６月６日付けで通知した取消しの理由で引用した刊行物１：国際公開ＷＯ９１／２６２９号公報、刊行物２：特公昭５７−３５０３２号公報、刊行物３：独国特許第４０２９３７７Ｃ１号明細書、刊行物４：特開昭５４−２９２６２号公報、刊行物５：米国特許第３０５６１９８号明細書及び刊行物６：特開昭５５−８６４９０号公報には、それぞれ以下の記載がある。
　
（ア）　刊行物１
　刊行物１の翻訳である特表平５−５００３１３号公報第３頁左下欄第１８から２３行には、
「シェービングヘッドアセンブリＳＫは一対の平行なシェービングヘッド１４及び１５を示し、シェービングヘッド１４，１５は２つの内方カッター１６，１７並びに弧状の内方カッタに係合するシェービングホイル１７を有する。内方カッター１６，１７は共通の結合部材１９上に弾性的に取り付けられている（図２参照）。」と、
　同刊行物の第４頁左下欄第１行から第７行には、
「例えば、結合部材を９０度回転させることによって生じるこのような交換によって、振動の方向を横断するように内方カッター１６，１７の相応する変位が生起し、駆動部材４７への結合中内方カッター１６，１７の容易な清掃を可能にし、シェービングホイルを取り除いたシェービングヘッドフレーム２１の内部の空間の清掃を容易にする。」と、
　同刊行物の第５頁左上欄第１５行から第２３行には、
「ケーシング１からそれに取り付けられたシェービングホイル１８とともにシェービングヘッドフレーム２１を取り外した後、それに弾性的に取り付けられた内方カッター１６及び１７を有する結合部材１９を、ばね要素４９のばね作用に抗して駆動部材４７から容易に取り外すことができる。ベアリングピン４２の端部は、組み立て中にばね要素４９の拡張を容易にするためにまたベアリング穴内への挿入を容易にするために円錐形である。」
と記載されている。
　
（イ）　刊行物２
　刊行物２の第４頁第７欄第１２行から第３０行には、
「ヘッド組立体２１は多孔コーム３３，３４と中央に配置されるトリマ即ち長毛クリッパ３５を支える概して矩形の開放頭部フレーム３２とから成っている。頭部フレーム３２は端壁３２ａ及び長手方向に延びている側壁３２ｂを有する形に形成され、これらの壁は共に、大きい中心孔を有するフレームを形成し、この孔の中に多孔コーム３３，３４及びトリマ３５が装架されている。
　多孔コーム３３，３４の直下に位置決めされかつ架台３０の上に支えられて、カッタ３６があり、同カッタは駆動レバー３７及び３８によって駆動されると往復動できるように装架されている。カッタ３６はコーム３３，３４とせん断係合しながら短い距離を往復させられることができるように架台３０の上に装架されている。コーム３３，３４とカッタ３６との良好なせん断係合を確保するために、コーム３３及び３４の外周縁は第３図に示される如くばね３９によって下方へ強制偏向させられている。」と、
　同第４頁第８欄第３２行から第３７行には、
「頭部フレーム３２には両多孔コーム間にトリマ３５が装架されており、同トリマはややＴ字形の固定せん断部材４５及び可動カッタ４６から成っている。固定せん断部材４５は中央みぞ４５ｂと相反する両縁に於ける外向き歯４５ｃの列とを有する上方板部分４５ａを有している。板部分４５ａに連結されかつ同部分から下方へ延びている装架シャンク４５ｅがある。シャンク４５ｅの中央部は往復動カッタ４６に対する空間を設けるのに第５及び１６図に明示されている如く切取られている。」と、
　同第５頁第９欄第９行から第１９行には、
「カッタ４６を強制偏向させて固定カッタ４５と係合せしめるために、コイルばね４７が第５図に示される如く装加されて、同ばねの下端が突起４５ｆにかつ上端がカッタ４６に形成された突起４６ｄに受けられるようになっている。
　固定せん断部材４５、カッタ４６及びばね４７によって構成される組立体は、頭部フレーム３２の端壁３２ａに形成されて鉛直に延びている細みぞ孔即ちみぞ３２ｅ（第７図）の中に外方端を受けられているせん断部材４５によって頭部フレーム３２に可動に装架されている。」
と記載されている。
　
（ウ）　刊行物３
　刊行物３の翻訳である特開平４−２６１６８９号公報第４頁第５欄第１２から２２行には、
「【００１３】図１には、二つのブラケットアーム３および４の間に支持されたシェービングヘッド２をそのハウジング１上に枢着された乾式電気シェービング装置が図示されている。シェービングヘッド２はシェービングヘッドフレーム構造５およびそこに着脱可能に取付けられツインヘッド・シェービングフォイル・カッタを有する交換可能なフレーム６より成っている。一つまたは二つの部分より成る二重アーチ・シェービングフォイル７の下方には、二つの内側カッタ８，９が設けられ、その内側カッタ８が図示され、シェービングフォイルの一部はそのために破断されている。」と、
　同第４頁第５欄第５０行から第６欄第７行には、
「【００１７】図２の実施例において、ツインヘッド・シェービングフォイル・カッタは二つのシェービングフォイル２３，２４を有し、その長手方向外側面２１，２２は長手方向フレーム部材１１，１２に摺動可能に保持され、またその長手方向内側面２５，２６はばね負荷された内側カッタ８，９の振動方向ならびに垂直方向（矢印Ａ）に動かないように、長手方向フレーム部材２０に取付けられている。」と、
　同第４頁第６欄第４５行から第５頁第７欄第１行には、
「支承開口３５の下端は突起３０の下端と接触係合すると、支承開口３５の上端から突起３０の上端までの間に相対的距離ｙを生ずる。この距離ｙの大きさは、乾式シェービング装置のシェービングヘッドに必要なように長手方向フレーム部材１１，１２に移動可能に保持されたシェービングフォイル７の後退運動によって決定される。」と、
　同第５頁第７欄第３９行から第４５行には、
「長手方向フレーム部材１１の内壁３１に沿う距離ｙだけのシェービングフォイル７の後退運動は、一方では支承開口３５の大きさおよび突起３０の形状を、また他方では取付板３７の反対側の壁４０に対するシェービングフォイル７の内壁３９の相対的距離を適当に定めることにより、確実になる。」と、
　同第５頁第８欄第２３行から第２５行には、
「【図２】ツインヘッド・シェービングフォイル・カッタおよびそれと関連して作用する内側カッタを備えた交換可能なフレームの断面図。」
と記載されている。
　
（エ）　刊行物４
　刊行物４の第１頁の特許請求の範囲には、
「１．　多数の髭導入口を有する外刃と外刃に密着して可動する内刃からなる刃部ユニットを複数個配設した刃部ヘッドにおいて、刃部ユニットのフロート機構のフロート量をユニットにより異ならせた刃部ヘッドを有することを特徴とする電気カミソリ。
２．　多数の髭導入口を有する外刃と外刃に密着して可動する内刃からなる刃部ユニットを複数個配設した刃部ヘッドにおいて、刃部ユニットのフロート機構のバネ圧をユニットにより異ならせた刃部ヘッドを有する電気カミソリ。
３．　多数の髭導入口を有する外刃と外刃に密着して可動する内刃からなる刃部ユニットを複数個配設した刃部ヘッドにおいて、高さの異なるユニットを用いて構成した刃部ヘッドを有する電気カミソリ。」と、
　同第２頁右上欄第１０行から左下欄第３行には、
「この刃部ヘッドにおいて刃部ユニットに配設されたスリットを全部のユニットに全く同一にするのではなくて外周部のユニットにおけるとらえの効率をさらに上昇するために、特に長いヒゲ、くせ毛の導入効率を上昇するために外周部の矩形ユニットに配設されたスリット幅を広くすれば良いことが解る。ところが全体が均一のフローティング機構においては外周の外刃ユニットによって皮膚を幅広いスリットにより傷つけやすいという欠点が生じる。そのため皮膚の損傷を防ぐために肌を強く押し合った際に外周の刃部ユニットが下に深く沈む様にして中心部の刃部ユニットの沈み量を小さくすることによりヒゲ剃りの機能としての深剃りも皮膚を傷つけずに充分に可能である。」
と記載されている。
　
（オ）　刊行物５
　刊行物５には、
　三つのシェービングヘッドユニット１，１４，１５を備え、各シェービングヘッドユニットはそれぞれ外側カッター４，４’，４’、内側カッター２，２’，２’及び両カッターを付勢するスプリング１０，１０’，１０’を有する電気カミソリにおいて、中央のシェービングヘッドユニット１とその両側のシェービングヘッド１４，１５の間に調節部材４０を設け、スライドバー６０のスライド動作により該調節部材４０を上下動させ、各シェービングヘッドと皮膚との接触圧を変化させることが記載されている。
　
（カ）　刊行物６
　刊行物６の第２頁右下欄第１８行から第３頁左上欄第４行に
「この構成により、はくと内部カッター、ベース部材並びにスプリング装置は全体として本体に対して弾性的に動くことのできる自蔵式切断ユニットを形成し、弾性装置によりきわめて小さなスプリング力が働きユニットはひげそり中に加わる圧力で容易にたわむことができるような軽い浮遊作用を行う。」と、
　同第３頁左上欄１７行から右上欄第８行に
「本発明の好適実施例においては、ドライシェーバは、上記の如き形態でケーシングに対し別々に動くことのできるような２個の切断ユニットを有する。この構成配置により顔面輪郭に対する切断ユニットの高度の適合が可能となる。２個又はそれ以上の切断ユニットが設けられた場合、例へばはく並びに内部カッターの作動領域における曲率半径やはくの孔パターン、内部カッターとはくとの間に働くスプリング力及びケーシングと切断ユニットとの間に働くスプリング力等の緒元について夫々のユニットが同じ形態をとったり又は互に異なるよう構成することができる。」と、
　同第３頁右上欄第２０行から左下欄第４行には、
「２個の切断ユニット６は保持具５上に取外しできるように取付けられ、夫々のユニットには、プレート７の形をしたベース部材と、わん曲面のはく８と、内部カッター９並びに一対の圧縮コイルスプリング１１（第２図参照）が包含される。」
と記載されている。
　
（３）　対比・判断
　訂正明細書の請求項１に係る発明（以下「訂正発明１」という。）と、刊行物１ないし６に係る発明とを対比すると、刊行物１ないし６のいずれにも、訂正発明１を特定するための事項である「シェービングユニットの１つは、浮動動作が可能なロングヘアカッタとして構成され、ロングヘアカッタとして構成されたシェービングユニットは、両端部でシェービングヘッドフレームの内壁に形成されたガイド溝内のガイドエレメントにより移動可能に設置され」た構成は開示されていない。そして、訂正発明１は、上記構成を備えることによって訂正明細書記載の効果を奏するものである。故に、訂正発明１は、上記刊行物１ないし６に記載されたものに基づいて当業者が容易に発明をすることができたものではない。
　したがって、訂正発明１は、特許出願の際独立して特許を受けることができるものである。
　訂正明細書の請求項２に係る発明（以下「訂正発明２」という。）と、刊行物１ないし６に係る発明とを対比すると、刊行物１ないし６のいずれにも、訂正発明２を特定するための事項である「シェービングユニットの少なくとも１つは、シェービングの間、付勢エレメントの力に対して浮動動作が可能なロングヘアカッタとして構成され、ロングヘアカッタとして構成されたシェービングユニットは、両端部でシェービングヘッドフレームの内壁に形成されたガイド溝内のガイドエレメントにより移動可能に設置され」た構成は開示されていない。そして、訂正発明２は、上記構成を備えることによって訂正明細書記載の効果を奏するものである。故に、訂正発明２は、上記刊行物１ないし６に記載されたものに基づいて当業者が容易に発明をすることができたものではない。
　したがって、訂正発明２は、特許出願の際独立して特許を受けることができるものである。
　また、訂正明細書の請求項３ないし１５に係る発明（以下「訂正発明３ないし１５」という。）は、請求項１又は２を直接又は間接に引用して記載しており、訂正発明１又は訂正発明２の構成を全て備えた上で、さらに限定を加えたものであるから、前記のとおり、訂正発明１及び訂正発明２が上記刊行物１ないし６に記載されたものに基づいて当業者が容易に発明をすることができたものではない以上、訂正発明３ないし１５も、上記刊行物１ないし６に記載されたものに基づいて当業者が容易に発明をすることができたものではない。
　したがって、訂正発明３ないし１５は、特許出願の際独立して特許を受けることができるものである。
　一方、訂正明細書の請求項１６に係る発明（以下「訂正発明１６」という。）と、刊行物１ないし６に係る発明とを対比すると、刊行物１ないし６のいずれにも、訂正発明１６を特定するための事項である「シェービングユニットの少なくとも１つは、シェービングの間、付勢エレメントの力に対して浮動動作が可能なロングヘアカッタとして構成され、ロングヘアカッタとして構成されたシェービングユニットは、両端部でシェービングヘッドフレームの内壁に形成されたガイド溝内のガイドエレメントにより移動可能に設置され」た構成は開示されていない。そして、訂正発明１６は、上記構成を備えることによって訂正明細書記載の効果を奏するものである。故に、訂正発明１６は、上記刊行物１ないし６に記載されたものに基づいて当業者が容易に発明をすることができたものではない。
　したがって、訂正発明１６は、特許出願の際独立して特許を受けることができるものである。
　訂正明細書の請求項１７に係る発明（以下「訂正発明１７」という。）と、刊行物１ないし６に係る発明とを対比すると、刊行物１ないし６のいずれにも、訂正発明１７を特定するための事項である「シェービングユニットの少なくとも１つは、シェービングの間、付勢エレメントの力に対して浮動動作が可能なロングヘアカッタとして構成され、ロングヘアカッタとして構成されたシェービングユニットは、両端部でシェービングヘッドフレームの内壁に形成されたガイド溝内のガイドエレメントにより移動可能に設置され」た構成は開示されていない。そして、訂正発明１７は、上記構成を備えることによって訂正明細書記載の効果を奏するものである。故に、訂正発明１７は、上記刊行物１ないし６に記載されたものに基づいて当業者が容易に発明をすることができたものではない。
　したがって、訂正発明１７は、特許出願の際独立して特許を受けることができるものである。
　
４　むすび
　以上のとおりであるから、上記訂正は、特許法第１２０条の４第２項及び同条第３項において準用する第１２６条第２ないし４項の規定に適合するので、当該訂正を認める。
　
第３　特許異議の申立てについての判断
１　申立て理由の概要
　特許異議申立人松下電工株式会社は、甲第１ないし６号証（これらは、上記取消理由における刊行物１ないし６に同じ）を提出し、登録明細書の請求項１ないし１９に係る発明は、上記刊行物１ないし６に記載されたものから容易に発明をすることができたものであるから、特許法第２９条第２項の規定に違反してなされたものであって、特許明細書の請求項１ないし１９に係る特許は、特許法第１１３条第１項第２号に該当するので、取り消されるべきものである旨主張している。
　
２　本件発明
　本件については、上記のように訂正が認められ、本件請求項１ないし１７に係る発明は、訂正明細書の特許請求の範囲の請求項１ないし１７に記載されたとおりのものと認められるところ、その請求項１ないし１７に係る発明は、上記第２の１及び第２の３（１）で示したとおりである。
　
３　判断
　本件請求項１ないし１７に係る発明は、上記第２の３で示したように、上記刊行物１ないし６に記載されたものに基づいて当業者が容易に発明をすることができたものではない。
　そして、他に本件請求項１ないし１７に係る特許を取り消すべき理由を発見しない。
　
　４　むすび
　以上のとおりであるから、特許異議の申立ての理由及び証拠によっては、本件請求項１ないし１７に係る特許を取り消すべき理由を発見しない。
　また、他に本件請求項１ないし１７に係る特許を取り消すべき理由を発見しない。
　よって、結論のとおり決定する。
【異議決定日】
平成１２年７月１９日（２０００．７．１９）
【訂正の要旨】
　　　　　　　　　　　　　　　　　訂正の要旨
１．訂正事項ａ
　特許第２７５８８８０号発明の明細書中特許請求の範囲の請求項１ないし１９において、特許請求の範囲の減縮及び誤記の訂正を目的として、請求項３及び請求項８を削除し、請求項５を請求項６とし、以下項番を繰り上げるとともに、請求項１ないし３、６、１６及び１７を以下のように訂正する。
「【請求項１】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　前記シェービングユニット（１３，１４．１５）の１つは、浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
外部カッタ（１６、１７、２０）は、共通のシェービングヘッドフレーム（１９、６０）内に全てが装着され、少なくとも一つの内部カッタ（２１、２２、１６、１７）およびそれぞれの付勢エレメント（４０ａ、４０ｂ，３４１）は、シェービングヘッドフレーム内に装着され、単一のアセンブリとして外部カッタと共に取り外し可能になっていることを特徴とする、ドライシェービング装置。」
「【請求項２】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取り外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　各シェービングユニットは、付勢エレメントを有し、そのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
　外部カッタ（１６、１７、２０）は、共通のシェービングヘッドフレーム（１９、６０）内に全てが装着され、少なくとも一つの内部カッタ（２１、２２、３４）およびそれぞれの付勢エレメント（４０ａ、４０ｂ，３４１）は、シェービングヘッドフレーム内に装着され、シェーバーヘッドの一部として外部カッタと共に取り外し可能になっていることを特徴とする、ドライシェービング装置。」
「【請求項３】１つのシェービングユニット（１３、１４）の付勢エレメント（４０ａ、４０ｂ）は、更なるシェービングユニット（１５）の付勢エレメント（３４１）とは異なる特性を有し、シェービングの間、同一の力の影響下で異なる量だけロングヘアカッタとして構成されたシェービングユニット（１５）が後退すなわち浮動動作可能である、請求項１記載のドライシェービング装置。」
「【請求項６】内部カッタおよび付勢エレメントが、共通のシェービングヘッドフレーム内に全てが装着されていることを特徴とする、請求項１乃至５のいずれか１項記載のドライシェービング装置。」
「【請求項１６】　ハウジング（１）内に設けられたドライブと、
　前記ハウジング（１）に取り付けられたシェービングヘッドフレーム（１８）と、
　前記シェービングヘッドフレーム（１８）に取外し可能に取り付けられたフレーム（１９）と、
　前記フレーム（１９）内で互いに平行に配置された第１、第２および第３のシェービングユニット（１３、１４、１５）と、
を備えるドライシェービング装置であって、
　前記第１、第２および第３のシェービングユニット（１３、１４、１５）は、それぞれ、外部カッタ（１６、１７、２０）、内部カッタ（２１、２２、３４）および少なくとも１つの付勢エレメント（３１、３２、３３、４５）を有し、付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
　前記外部カッタ（１６、１７、２０）のそれぞれは前記フレーム（１９）に取り付けられており、
　前記第３のシェービングユニット（１５）についての前記内部カッタ（３４）および前記付勢エレメント（４５）は、対応の前記外部カッタ（２０）に結合されており、
　前記第１および第２のシェービングユニット（１３，１４）についての前記外部カッタ（１６，１７）並びに前記第３のシェービングユニット（１５）についての前記外部カッタ（２０）、前記内部カッタ（３４）および前記付勢エレメント（４５）が前記フレーム（１９）と一体的に、前記シェービングヘッドフレーム（１８）から取り外されるよう構成されていることを特徴とするドライシェービング装置。」
「【請求項１７】　ハウジング（１）内に備えられたドライブと少なくとも２つの平行シェービングユニット（１３、１４、１５）とを備え、各シェービングユニットは、それぞれの外部カッタ（１６、１７、２０）、内部カッタ（２１、２２、３４）および少なくとも１つの付勢エレメント（３１、３２、３３、４５）を有し、付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　ロングヘアカッタとして構成されたシェービングユニットは、両端部でシェービングヘッドフレームの内壁に形成されたガイド溝内のガイドエレメントにより移動可能に設置され、
　１つのシェービングユニット（１３、１４、１５）の付勢エレメント（３１、３２）は他のシェービングユニット（１３、１４、１５）の付勢エレメント（３３）とは異なる特性を有し、その為、シェービングユニット（１３、１４、１５）に外力が作用している場合、前記１つのシェービングユニット（１３、１４、１５）が他のシェービングユニット（１３、１４、１５）に対し運動可能である、ドライシェービング装置。」
（５４）【発明の名称】
ドライシェービング装置
（５７）【特許請求の範囲】
　　【請求項１】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　
前記シェービングユニット（１３，１４，１５）の１つは、浮動動作が可能なロングヘアカッタとして構成され、
　
ロングヘアカッタとして構成されたシェービングユニットは、両端部でシェービングヘッドフレームの内壁に形成されたガイド溝内のガイドエレメントにより移動可能に設置され
外部カッタ（１６、１７、２０）は、共通のシェービングヘッドフレーム（１９、６０）内に全てが装着され、少なくとも一つの内部カッタ（２１、２２、１６、１７）およびそれぞれの付勢エレメント（４０ａ、４０ｂ，３４１）は、シェービングヘッドフレーム内に装着され、単一のアセンブリとして外部カッタと共に取り外し可能になっていることを特徴とする、ドライシェービング装置。
　　【請求項２】　ドライシェービング装置であって、シェーバー本体（１）と；各々が前記シェーバー本体に対する運動の為に装着された開放底部の外部カッタ（１６、１７、２０）を有する、少なくとも２つのシェービングユニット（１３、１４、１５）を備える、取り外し可能なシェーバーヘッド（ＲＫ）と；各外部カッタ内に装着された内部カッタであって、シェービング作用を達成するため外部カッタに押しつけられて接触する内部カッタを保持する付勢力を受けている間、外部カッタの軸に沿って往復運動を行う前記内部カッタと；各内部カッタに対し付勢力を与えるための付勢エレメントと（４０ａ、４０ｂ、３４１）；内部カッタに対する往復運動を与える駆動手段（６）と；を備え、
　
各シェービングユニットは、付勢エレメントを有し、そのスプリング効果により、内部カッタ（２１、２２、３４）が外部カッタ（１６、１７、２０）に係合して保持されると共に、シェービングユニットの少なくとも一つは、シェービングの日、付勢エレメントの力に対して浮動動作が可能なロングヘアカッタとして構成され、
　
ロングヘアカッタとして構成されたシェービングユニットは、両端部でシェービングヘッドフレームの内壁に形成されたガイド溝内のガイドエレメントにより移動可能に設置され
　外部カッタ（１６、１７、２０）は、共通のシェービングヘッドフレーム（１９、６０）内に全てが装着され、少なくとも一つの内部カッタ（２１、２２、
３４
　　【請求項３】　１つのシェービングユニット（１３、１４）の付勢エレメント（４０ａ、４０ｂ）は、重なるシェービングユニット（１５）の付勢エレメント（３４１）とは異なる特性を有し、シェービングの間、同一の力の影響下で異なる量だけ
ロングヘアカッタとして構成された
後退すなわち浮動動作可能である
１
　　【請求項４】　１つの付勢エレメントだけが、各シェービングユニット（１３、１４、１５）に備えられている、請求項１乃至３のいずれか１項記載のドライシェービング装置。
　　【請求項５】　各付勢エレメントは、駆動エレメント（６ａ、６ｂ、６ｃ）および関連するシェービングユニット（１３、１４、１５）の内部カッタ間に配置されている、請求項４記載のドライシェービング装置。
　　【請求項６】　
内部カッタおよび付勢エレメントが、共通のシェービングヘッドフレーム内に全てが装着されていることを特徴とする、
　　【請求項７】　前記ロングヘアカッタは、ショートヘアカッタとして構成された２つのシェービングユニット（１６、１７）間に配置されている、請求項６記載のドライシェービング装置。
　　【請求項８】　ロングヘアカッタとして構成されたシェービングユニット（１５）の内部カッタ（３４）は、Ｕ字形弓状の外部カッタ（２０）により囲まれている、請求項７記載のドライシェービング装置。
　　【請求項９】　各内部カッタおよび付随する付勢エレメントは、付随するシェービングユニット内に装着され、その一部として取り外し可能になっている、請求項１乃至８のいずれか１項記載のドライシェービング装置。
　　【請求項１０】　各内部カッタは、開放底部を有し、そこから、付随する外部カッタの内面と剪断において協働するための一部円筒状の切断面を画成する外方向に凸状弓形の複数の橋状カッタエレメントを伸ばす、請求項１乃至９のいずれか１項記載のドライシェービング装置。
　　【請求項１１】　各カッタは、
ｉ）　カッタの縦に伸び、それぞれの橋状エレメントの第１端部と結合する、第１支持梁と；
ｉｉ）カッタの縦に伸び、それぞれの橋状エレメントの第２端部と結合する、第２支持梁と；
ｉｉｉ）往復駆動を受けるための往復手段であって、上記支持梁の少なくとも１つに置かれる、請求項１０記載のドライシェービング装置。
　　【請求項１２】　前記往復手段は、少なくとも１つの梁に装着されたヨークを備える、請求項１１記載のドライシェービング装置。
　　【請求項１３】　上記あるいは各ヨークは、その梁の中央に装着されている、請求項１２記載のドライシェービング装置。
　　【請求項１４】上記あるいは各ヨークは、駆動部材を受容する穴を画成する、請求項１０または１１記載のドライシェービング装置。
　　【請求項１５】　各外部カッタは、開放底部の弓状シェービングフォイルである、請求項１乃至１４のいずれか１項記載のドライシェービング装置。
　　【請求項１６】　ハウジング（１）内に設けられたドライブと、
　前記ハウジング（１）に取り付けられたシェービングヘッドフレーム（１８）と、
　前記シェービングヘッドフレーム（１８）に取外し可能に取り付けられたフレーム（１９）と、
　前記フレーム（１９）内で互いに平行に配置された第１、第２および第３のシェービングユニット（１３、１４、１５）と、
を備えるドライシェービング装置であって、
　前記第１、第２および第３のシェービングユニット（１３、１４、１５）は、それぞれ、外部カッタ（１６、１７、２０）、内部カッタ（２１、２２、３４）および少なくとも１つの付勢エレメント（３１、３２、３３、４５）を有し、
付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　
ロングヘアカッタとして構成されたシェービングユニットは、両端部でシェービングヘッドフレームの内壁に形成されたガイド溝内のガイドエレメントにより移動可能に設置され、
　前記外部カッタ（１６、１７、２０）のそれぞれは前記フレーム（１９）に取り付けられており、
　前記第３のシェービングユニット（１５）についての前記内部カッタ（３４）および前記付勢エレメント（４５）は、対応の前記外部カッタ（２０）に結合されており、
　前記第１および第２のシェービングユニット（１３，１４）についての前記外部カッタ（１６，１７）並びに前記第３のシェービングユニット（１５）についての前記外部カッタ（２０）、前記内部カッタ（３４）および前記付勢エレメント（４５）が前記フレーム（１９）と一体的に、前記シェービングヘッドフレーム（１８）から取り外されるよう構成されていることを特徴とするドライシェービング装置。
　　【請求項１７】　ハウジング（１）内に備えられたドライブと少なくとも２つの平行シェービングユニット（１３、１４、１５）とを備え、各シェービングユニットは、それぞれの外部カッタ（１６、１７、２０）、内部カッタ（２１、２２、３４）および少なくとも１つの付勢エレメント（３１、３２、３３、４５）を有し、
付勢エレメントのスプリング効果により、内部カッタ（２１、２２、３４）が外部カッタ（１６、１７、２０）に係合して保持されると共に、シェービングユニットの少なくとも一つは、シェービングの間、付勢エレメントの力に対して浮動動作が可能なロングヘアカッタとして構成され、
　
ロングヘアカッタとして構成されたシェービングユニットは、両端部でシェービングヘッドフレームの内壁に形成されたガイド溝内のガイドエレメントにより移動可能に設置され
　１つのシェービングユニット（１３、１４、１５）の付勢エレメント（３１、３２）は他のシェービングユニット（１３、１４、１５）の付勢エレメント（３３）とは異なる特性を有し、その為、シェービングユニット（１３、１４、１５）に外力が作用している場合、前記１つのシェービングユニット（１３、１４、１５）が他のシェービングユニット（１３、１４、１５）に対し運動可能である、ドライシェービング装置。
【発明の詳細な説明】
　　　【０００１】
　　【発明の属する技術分野】
　本発明は、ハウジング内に配置されるドライブユニットと、外部カッタと内部カッタを有する少なくとも２つの平行シェービングユニットと、少なくとも１つの付勢エレメントを備えるドライシェービング装置に関する。
　　　【０００２】
　　【従来の技術】
　このようなドライシェービング装置の一例として、ＤＥ−Ｃ−３　９２６　８９４が知られている。一実施例中では、各外部カッタは、ハウジングに配置されるシェービングヘッドフレームに取り付けられている。内部カッタは、電気ドライブユニットのドライブエレメントに接続される共通結合エレメントに設置されている。各内部カッタはそれぞれスプリングエレメント手段により、対応する外部カッタに対して押圧されている。２つのスプリングエレメントは、それぞれ外部カッタと内部カッタとの係合を確実なものにするために、適切な特性を有している。他の実施例によれば、外部カッタは、シェービングヘッドフレームに結合する取外し可能なフレームに設置されており、ドライシェービング装置のハウジングに回転可能に設置されている。
　　　【０００３】
　ＵＳ−Ａ−３　５８９　００５の４つの平行シェービングユニットを有するドライシェービング装置が知られている。ショートヘアカッタ用として構成された２つの外部シェービングユニットはそれぞれ、外部カッタと、内部カッタと、ドライブエレメントと内部カッタの間に配置されたスプリングエレメントとを備えている。２つの外部シェービングユニットの間には、歯状カッティング櫛と、対応する歯状カッティング刃を有し、特にトリミング用の２つの櫛状のロングヘアカッタが設けられている。トリミングの目的で、これらの歯状ロングヘアトリマは、ショートヘアカッタに関連して、両方一緒にまた互いに独立に調整用に設置されている。
　　　【０００４】
　他のドライシェーバとして、ＵＳ−Ａ−４　７９７　９９７とＧＢ−Ａ−２０３６　６３１のものが知られている。
　　　【０００５】
　　【発明が解決しようとする課題】
　本発明は、シェービングユニットとシェーブされる肌との係合が簡単な方法で改善される、最初に定義したタイプのドライシェービング装置を提供することを目的とする。更に、本発明の実施例では、シェービングの組み合わせ、すなわちロングヘアとショートヘアの同時カッティングを行うことができる。
　　　【０００６】
　　【課題を解決するための手段】
　本発明の一つの態様によれば、最初に定義したタイプの装置では、一つのシェービングユニットの付勢エレメントは、他のシェービングユニットの付勢エレメントとは異なる特徴を有しており、外側から与えられる力の影響で、他のシェービングユニットと関連する一つのシェービングユニットにより、シェービングユニットが動くように形成されている。
　　　【０００７】
　本発明の他の態様によれば、対応するシェービングユニットのエレメントとして、各カッタと、関連する付勢エレメントが、取外し可能なシェービングユニット内に設置されている、最初に定義したタイプの装置が提供されている。
　　　【０００８】
　また、本発明の他の態様によれば、シェーバ本体と、各々がシェーバ本体に関連する動作用に設置され、底が開いたアーチ形のシェービングフォイルを有する、内部結合した少なくとも２つのシェービングユニットを備える取外し可能なシェーバヘッドと、付勢力が内部カッタをフォイルと接するように押し続け、フォイルのシェービング動作を達成するときのフォイル軸に沿った往復運動動作用に設置された各フォイルのアーチ形内の内部カッタと、各カッタ用の付勢力を供給する付勢エレメントと、往復動作の方向に対して横切る各カッタの動きに対応しながら、往復動作を供給するドライブ手段とを備えるドライシェービング装置が提供されており、各カッタと、対応する付勢エレメントが、シェーバヘッドの部品として取外し可能なシェービングユニット内に設置されている。
　　　【０００９】
　一実施例では、各付勢エレメントは、対応するカッタと、対応するシェービングユニットのサポート間に作用する。
　　　【００１０】
　ドライブ手段は、ドライブされるカッタのスロット内に位置するピンを備えており、スロットがカッタの横方向に延びており、ドライブピンとカッタの相対的な横方向動作を可能にする。そのため、ドライブピンは、フォイルの横方向動作に従う必要はないが、カッタはフォイルの横方向動作に従うことができる。例えばＴ状棒ヘッドの二又ヘッドと、一対のヘッドシェーバのカッタの横方向スロット内のピンの縁付きピンは、非常に可能性がある。これらのピンやＴ状棒は、非常に小さいスペースを占めており、異物透過性（ｄｅｂｒｉｓ　ｔｒａｎｓｐａｒｅｎｃｙ）により近
づくために良好な可能性を提供する。
　　　【００１１】
　　【発明の実施の形態】
　図１は、ハウジング１と、オンオフスイッチ２と、カッティング刃を有する髭トリマ３と、上部ハウジング表面４と、上部ハウジング表面４から突出するドライブピン６と、狭いハウジング側面７、８から延びるサポートアーム９、１０と、ベアリングホール１２に受入可能なベアリングピン１１の手段によりＸ−Ｘ軸についてロックするために設置されたシェービングヘッドＲＫとを備えるドライシェーバの上部分を示す。
　　　【００１２】
　シェーバヘッドＲＫには、３つの平行なシェービングユニット１３、１４、１５が相互に設けられていて、２つの外部シェービングユニット１３、１４は、ショートヘアカッタとして構成され、中間シェービングユニット１５は、ロングヘアカッタとして構成されている。ショートヘアカッタユニット１３、１４の外部カッタ１６、１７は、シェービングヘッドフレーム１８から取外し可能なフレーム１９に配置されている。シェービングユニット１５の外部カッタ２０は、取外し可能なフレーム１９の外部カッタ１６、１７の適切な動作用に設置されている。
　　　【００１３】
　シェービングヘッドＲＫをより詳細に図２と図３に示し、以下により詳細に述べる。図２は、ハウジング１の上部とロック可能なシェービングヘッドＲＫの断面図を示している。ショートヘアシェービングユニット１３、１４の２つの内部カッタ２１、２２は、フレーム１９にアーチ状に設置された外部カッタ１６、１７にそれぞれ接しており、外部カッタ１６、１７は、シェービングフォイルとして構成されるのが好ましい。結合エレメント２３は、３つの一体的に形成されたカップ状のレセプタクル２５、２６、２７付きベースプレート２４と、それと共働するカップ状のカバー２８、２９、２０と、対応するレセプタクル２５、２６、２７内に設けられた対応するガイドピン４２、４３、４４とを有し、対応するピンを囲む圧縮スプリング３１、３２、３３を含んでいる。対応するスプリング３１、３２、３３の圧力に対して、対応するカバー２８、２９、３０に結合する内部カッタ２１、２２、３４の垂直案内を確実なものとするために、滑り穴３５、３６、３７が、それぞれピン４２、４３、４４を受入れるカバーに形成されている。内部カッタ２１、２２は、結合エレメント３８、３９によりレセプタクルカバー２８、２９の上端に回転可能に設置されている。
　　　【００１４】
　結合エレメント２３は、ドライブエレメント４０と共にガイドピン４４の手段により結合されていて、振動ブリッジ（ｏｓｃｉｌｌａｔｉｎｇ　ｂｒｉｄｇｅ）を有している（図３参照）。ハウジングに対向して、ドライブエレメント４０は、ドライブピン６と係合し、振動運動とヘッドＲＫのロック運動に対応するスロット４１を有している。
　　　【００１５】
　ロングヘアカッタとして構成され、外部カッタ２０と、内部カッタ３４と、スプリング４５と、結合エレメント４６を有するシェービングユニット１５は、レセプタクルカバー３０に動作可能に結合して、結合エレメント２３に結合する。シェービングユニット１５の構造と配置をより詳細に図３に示し、前に用いた参照番号にて、以下により詳細に述べる。
　　　【００１６】
　外部カッタ２０の両端部において、カッタには、ガイドエレメント４７、４８、が設けられていて、取外し可能なフレーム２９の内壁４９、５０に形成されたガイド溝５１、５２内を介して移動可能に設置される。ガイドエレメント４７、４８には、スプリング４５用カウンタベアリングとして、結合エレメント４６上に横たわる結合エレメントの方に延びるベアリングアーム５３、５３が備えられている。結合エレメント４６と、スプリング４５と、内部カッタ３４は、互いに固く接続されている。従って、外部カッタ２０に対して、ベアリングアーム５３、５４と係合するスプリング４５の手段により内部カッタ３４が押圧される。結合エレメント２３に配置されたスプリング３３は、シェービングユニットの相対動作に対応するショートヘアカッタ（図２参照）として構成されるシェービングユニット１３、１４に適しており、ロングヘアカッタとして構成されたシェービングユニット１５の動作を供給する。シェービングユニット１３、１４に関連するシェービングユニット１５の動作の結果、全てのシェービングユニットと肌の良好な係合が実現できる。ショートヘアカッタとロングヘアカッタとしてのシェービングユニットの構成を異ならせることにより、トリミングに必要なロングヘアカッタ３（図１参照）の通常の動作は、シェービングの過程でロングヘアをカットすることを避けている。
　　　【００１７】
　他の実施例（図示しない）によれば、シェービングユニット１５の動作を可能にするために設けられるスプリング３３が配置され、シェービングヘッドフレーム１８の壁とガイドエレメント４７、４８の間のシェービングヘッド１５の両端に係合される。
　　　【００１８】
　図４は、ショートヘアカッタシェービングユニット１３、１４に関連する移動可能なロングヘアカッタ１５を有するドライシェーバの他の実施例を示している。ハウジング１上に、ハウジング１に取外し可能に接続されたシェービングヘッドフレーム６０が設置されている。振動動作を伝導するドライブピン６は、直接結合エレメント２３にガイドピン４４を介して結合されている。内部カッタ２１、２２と、結合エレメント２３のロングヘアカッタとして構成されたシェービングユニット１５との配置と構成は、図２と図３の実施例に対応している。
　　　【００１９】
　シェービングユニット１３、１４の外部カッタ１６、１７は、シェービングヘッドフレーム６０上に配置されている。ショートヘアカッタシェービングユニット１５は、図３に示される実施例の構成に対応しており、スプリングアセンブリ３０に結合エレメント４６を介して結合されている。図３の実施例から離れて、シェービングユニット１５は、両端部でシェービングヘッドフレーム６０の内壁４９に形成されたガイド溝（図示しない）内のガイドエレメント４７、４８の手段により移動可能に設置されている。
　　　【００２０】
　図５に示すように、シェーバヘッドＲＫは第１のシェービングユニット１３と第２のシェービングユニット１４とを備える。夫々のユニットは、デペンデングリンクによって夫々の端部で指示されており、、（フレームの一部）およびこれらの４つのリンクは上部の横型ロッカーリンク７３と下部の横型ロッカリンク７４と接触される。図５では、上部リンク１３１と下部リンク１４１は、ヘッドＲＫの一端で可視的に示されている。夫々のロッカリンクは、夫々に応じたリビングヒンジ１５０、１５１の対あるいはリビングヒンジ１５２、１５３の対によって夫々シェービングユニット１３およびシェービングユニット１４に接続される。シェーバのハウジングボディは、ピボットメンバ７７、７８を備え、それらにはロッカーリンク１３１、１４１がピボット式に旋回するように搭載される。この構成では、シェービングユニットが外部から加えられた力に応じて上下に可動となる。
　　　【００２１】
　図６では、ロッカリンク１３１、１４１の回転が、シェービングユニット１３、１４の上昇および下降と同時にシェービングユニット１３、１４の横方向への変位を引き起こすことを示している。こうした動作は、２つのシェーバユニットの一方（図６では、右側のユニット１４）に関して、ロッカリンク１３１、１４１とのピボット取り付け点が回転して、一方の取り付け点が他方の取り付け点よりもよりロッカリンク１３１、１４１の双方の回転軸を含む平面Ｐから離れることによるのは勿論である。他方のシェービングユニット１３に関しても、勿論、ロッカリンク１３１、１４１の同一の回転がロッカリンク１３１、１４１の回転軸を通る平面Ｐにシェーバヘッドを近付ける。
　　　【００２２】
　図５および図６に示す夫々のシェービングユニットは、内部カッタ、外部カッタ（好適にはフォイル）、および少なくとも１つのスプリングエレメントを備える。図７、８、９ａ、および９ｂは、内部カッタ２１、２２が如何に搭載され、駆動されるかを示す。内部カッタ２１は、弓なりに湾曲したシェービングフォイル１６の内面に圧接される。フォイル１６は、フォイル１６の対向する両端面において第１の端面板２１０および第２の端面板２２０を含む構造エレメントと事実上接触している。そして、シェーバヘッドは、４つのロッカリンク１３１、１４１のピボット動作を指示するとともにシェーバ本体へのシェーバヘッドの接触を助ける共通収納器または外殻を備えている。
　　　【００２３】
　カッタ２１は、第１および第２のスプリング付勢エレメント２３０、２４０によって周辺フォイルと接触させられる。夫々のスプリング付勢エレメントは、中空の上空きカップ２５０と僅かにカップ２５０よりも大きな下空き型のキャップ２６０を有し、キャップ２６０はカップ２５０上を、ピン２７１によって導かれて入れ子式に上下動する。エレメント２３０の中空内部の螺旋スプリング２７０は、基底２５０と蓋２６０とを分離しようとする。基底２５０の縁と蓋２６０の縁との夫々の縁の周りのデテント２８０は基底２３０と蓋２６０との分離を阻止し、一方、キャップ２６０の上部のアイ（ｅｙｅ）２９０はピン３００を受け止め、このピン３００によって付勢エレメント２３０がその上端でカッタ２１と接続される。図９ａに最もよく示されるように、付勢エレメント２３０、２４０の夫々の下端３１０には、２つの横方向に突出した筒耳ピン３１１、３２２が用意され、夫々の筒耳ピンに応じて隣接したフレームから突出した支持表面上に載置される。
　　　【００２４】
　カッタ２１は、多数の平行な金属刃４００を有する。これらの刃の全ては、カッタの背後部４１０から外側に延びている。スロット４２０は、１対のリベット４４０によって背後部４１０に固定されたドライブーレシービングエレメント４３０内で横方向にカッタ２１の長さだけ延びている。シェーバボディ（図示せず）の先端部から上方に延びるドライブピン６は上端４６０を有し、上端４６０はスロット４２０内で受け止められ、カッタ２１に周期的な運動を付与する。
　　　【００２５】
　カッタ２１は、周期的な運動を行うので、２つの付勢デバイス２３０、２４０のそれぞれはピボットピンとサポート面９０、９１にロックされ、スプリング２７０はキャップ２６０とカッター２１を上方に押圧しながら。しかし、カッターが付勢デバイス２３０、２４０が最大角度で縦に最も傾いて縦運動の最も遠い点にあるとき（図８に示す）、デテント面（移動止め面）２８０は接触せず、スプリング２７０による付勢力はまだ働いている。
　　　【００２６】
　図５と図６を参照し前述したように、ドライブピン６も外側へ動くことが可能か、不可能かにかかわらず、ピンと横向きのスロットの配置はカッター２１を横方向に動くことを可能にする。実際、ドライブピン６は外側へ動くことが可能なことは必要とされない。更に、図５と図６を参照し前述したように、シェービングユニットの揺動運動の間の係合がはずれることをさけるためにスロット４２０は充分な長さにわたって、ピン６は係合する。
　　　【００２７】
　ドライブピン６の外側へまたは上下への運動のいかなる必要性をもかわすことがドライブトレインの構造を簡素化することに役立つ。
　　　【００２８】
　付勢デバイス２３０、２４０におけるキャップとカップのテレスコピック構造をもつ配置の重要な利点は、キャヅプとカップが付勢力をもたらすスプリング２７０の回転の妨害から異物を妨げるために効果的である場合に、それらの動作が異物（の混入）によって悪影響を及ぼされにくいことである。
　　　【００２９】
　図７から、おのおののシェーバーユニット１３、１４のベースの開放がいかに作られているか考えることができるだろう。
　　　【００３０】
特に図３１を参照して、詳細はこの後に記載されているが、カッター２１自身はそのベース範囲にわたり開放している。
　　　【００３１】
　図９ｂでは、ドライブピン６は２つに分離された上部端４６０を有し、それはシェービングユニット１３のスロット４２０内に係合する第１ドライブペック５００を供拾するためである。第２ドライブペック５２０はシェービングユニット１４の該当するスロット内に係合する。図９ｂにおいては、ユニット１４は上昇運動の上限にあり、その時もちろんユニット１３は下降運動の下限にある。結果として、ペッグ５００はスロット４２０の上端にあり、ペッグ５２０はそのスロットの下端の近くにある。その上、シェービングユニット１３はそのレストポジションにあるときよりも、ロッキングリンク１３１、１４１のピボット軸に近く、シェービングユニット１４はそのレストポジションにあるときよりも遠いので、ドライブペック５００はスロット４２０を越えて通過する。一方、ペッグ５２０はそのスロット内を完全に通り過ぎる事はない。これは、１つのドライブバー４６０がシェーバーの通常の動作において起こるユニット１３、１４の縦と水平の運動の全てをどの様に収納できるかを示すものである。
　　　【００３２】
　図１０はドライシェービング装置の他の実施例の分解図であって、３つのシェービングユニットから構成され、２つのショートヘアカッター１３、１４とその間に配置されるロングヘアカッター１５を示したものである。ロングヘアカッター１５は、シェービングの間に適用される力によるショートヘアカッター１３と１４との相対運動のために取り付けられている。
　　　【００３３】
　この実施例では、ロングヘアカッターの外部カッターが横向きのスロットを持ったシェービングフォイル２０の形状である。下部カッター３４はクシ状の捧の形態を持っており、フォイル２０の下で長手方向に振動する。下部カッター２１と２２はショートヘアカッターのためにあり、図３１に示すように一般的に正確なスロットを有するメンバーの形状を有する。
　　　【００３４】
　すべての３つの下部カッター２１、２２及び２３はサブアセンブリー４０上に取り付けられ、アンダーカッターの駆動エレメントとして働く。即ち、揺動可能なシェービングヘッドのベースから下部カッターへの運動を伝達するために働く。
　　　【００３５】
　サブアセンブリー４０は、上部カバーメンバー３０と、それがリベット止めされるアンダーカッター３４と、組み立てられた際に下部カッター３４がピボットとして回転するカップリングエレメント又は支点３０１と、外部フォイル２０に下部カッターを付勢する圧カスプリング３３とドライブピン４２、４３及び４４をそれぞれ有する３つのカップ状のレセブタクル（ｒｅｃｅｐｔａｃｌｅ）２５，２６及び２７を供袷するベースプレート２４とから成る。カップリングエレメント３０１は、ドライブピン４４に摺動自在に係合され且つスプリング３３によって付勢される。更に、図１１に示される様に、スプリング３１と３２はレセプタクル２５と２６の中にある。カバーメンバー３０は２つの横向きの窓３０２を有し、それはレセプタクル２７上の横向きのラグ（耳金）に遊びを持って係合する。
　　　【００３６】
　ピン４４の下端はサブアセンブリー４０から突起しており、揺動自在なシェービングヘッドＲＫの底面にある穴５に係合し、保持される。この穴５は環状の弾性部材のシールメンバー５ａによって取り囲まれ、ダストとシェービングによる異物の侵入を防ぐ。
　　　【００３７】
　次に図１１を参照する。シェービングヘッドを貫通する横向きの分解図である。外部のカップ状のレセプタクル２５と２６がドライブピン４２と４３を受けるための摺動穴をも提供するそれぞれのカバー２８と９６にどの様に囲まれているかを示すものである。
　　　【００３８】
　図１２は図１１の構成要素が組立てられた状態を示す。この図は中央のロングヘアカッター１５の外部カッターの形状の拡大図をも示すものである。
　　　【００３９】
　図１３は図１２に類似する図であるが、中央のロングヘアカッターのための内部カッターの別な形状を伴っている。この実施例では、この内部カッターはＵ字状の横断面を持ち、図１６、図１７及び図１８を参照する下記に示す下部カッターに類似するものである。
　　　【００４０】
　図１４は図１２における中央のロングヘアカッター１５を貫通する長手方向の縦断面図である。この図はキャップメンバー３０にリベット止めされる下部カッター３４がカップリングメンバー３０１上に位置し、長手方向又は横方向の揺動運動が可能とする方法を特に示したものである。図１４は外部カッター２０がピンとスロットアレンジメント１２０の手段による縦の運動のために取り付けられている。そのピンとスロットアレンジメント１２０の両端はスプリング３３の揺動に対する中央のロングヘアカッターの垂直浮動運動を可能にする。スプリング３３の特性はスプリング３１と３２に対して相対的にセットされ、その結果、ロングヘアカッターの縦の浮動運動がシェーバーが皮膚の表面を滑る間に発生する通常のシェービングによる力の影響の下で使用することができるようにするためである。
　　　【００４１】
　図１５は、図１２のショートヘアカッタ１６の長手方向の垂直断面図である。下部カッタ（ｕｎｄｅｒｃｕｔｔｅｒ）２１は、カバーメンバ２８に枢動可能に取り付けられ
、このカバーメンバ２８は、ベースプレート２４の一部を形成するカップメンバ２５と相互に係合されている。ピン４２はメンバ２５の穴内に取り付けられ、カバーメンバ２８のすべり穴内で摺動可能となっており、従って、カバーメンバ２８はスプリング３１の付勢力に抗して移動することができる。このように、スプリング３１は、下部カッタ２１を押して外部フォイル１６とシェービング接触させるように機能する。
　　　【００４２】
　図１６は、本発明によるドライシェービング装置の他の実施例の等寸大分解図であり、ここで中央のロングヘアカッタ１５は二つのショートヘアカッタ１３、１４に関し浮動的な動作の為に取り付けられている。
　　　【００４３】
　この実施例において、個々のアンダーカッタ２１、２２、３４は個別的に夫々のスプリングアセンブリに取り付けられ、別個にそれぞれのドライブピン６ａ、６ｂ、６ｃにより駆動される。ドライブピン６ｂ、６ｃは駆動部材６６の一体型パーツであり、ここに中央のドライブピン６ａが貫通される。
　　　【００４４】
　アンダーカッタアセンブリの全体は一緒に保持され（ｈｅｌｄ）、通常は長方形ワイヤスプリング９０によりアウタカッタフレームの中で保存される（ｒｅｔａｉｎｅｄ）。
　　　【００４５】
　図１６は、ロングヘアトリマー１５に対するアンダーカッタ３４を支持する個々のコンポーネントを示す。これらのコンポーネントはフラットスプリング３４１および２つの傾斜ガイドメンバ３４２、３４３を有し、これらはアンダーカッタ３４にリベットで取り付けられる。フラットスプリング３４１の特性は、シェービング間の浮動的動作を許容するように調整される。
　　　【００４６】
　ショートヘアカッタのアンダーカッタ２１、２２の各々は、それぞれのスプリングアセンブリ４０ａ、４０ｂ上に支持されている。図１７を参照して、スプリングアセンブリ４０ａ、４０ｂの内部構造をより詳細に示す。図１７はまた、いかに個々のコンポーネントが一緒に組立てられ、ワイヤスプリング９０を介して保持されるかを明確に示す。組立てられたポジションは図１８に示されている。
　　　【００４７】
　図１９は図１８と近似しており、中央のロングヘアトリマー１５に対するアンダーカッタの他の実施例を示す。この実施例では、アンダーカッタが図１０の実施例に記述され図示されたアンダーカッタの形式に対応する。
　　　【００４８】
　図２０は、図１８のショートヘアカッタの一つの縦断面図である。図２０はスプリングアセンブリ４０ａの構成を明確に特定的に示す。このスプリングアセンブリはカバーメンバ２８ａ、ベースメンバ２５ａ、およびアンダーカッタ２１を附勢してアウタカッタ１６とシェービング接触となる附勢力を与える２つのインターナルスプリング３１ａ、３１ｂを備える。
　　　【００４９】
　図２１は図１８のロングヘアカッタ１５の縦断面図である。この図はまた、いかにドライブピン６ａが２つのガイドメンバ３４２、３４３の問に係合し、フラットスプリング３４１に対し押すかをも示す。これは、アンダーカッタ３４を押してアウタカッタ２０とのシェービング接触となる必要な附勢力を与える。
　　　【００５０】
　図２２は図１９の実施例のロングヘアカッタ１５の縦断面図である。この実施例においてインナーカッタ３４は、図１０に示されるアンダーカッタの形式と同様に、櫛状バーになっている。再び、ドライブビン６ａはアンダーカッタ３４にリベット付けされた２つのガイドメンバ３４２、３４３の間に係合している。しかし、この場合は附勢力がフラットスプリングばかりかスプリングワイヤ３４１によっても与えられ、これはシェービングの間に必要な浮動的な動作を許容する選択された特性を有する。
　　　【００５１】
　図２３は、シェービングヘッドＲＫが従来のピボット（図示せず）を通じてシェーバー本体５０上で回転する固定された幾何形状を有し、リビングヒンジを使用するシェーバーの実施例を示す。固定された幾何形状という表現は、個々のシェービングユニット１３、１４がヘッドＲＫ内で互いに相対的に固定されていることによって相互結合されていることを意味する。このヘッドは、そのため、全体的に傾く。低い曲面６１ははシェーバー本体のカウンタ表面をクリアするように形成されている。
　　　【００５２】
　ヘッドＲＫ内の第１シェービングユニット１３は、比較的浅いアーチという形式でシェービングフォイルを有し、この円弧の内側にはインナーカッタ２１がある。ヘッドＲＫの表面は、フォイルアーチ１６の長いエッジおよびフォイル１６のアーチの内側上方に（ｕｐ　ｏｎｔｏ）インナーカッタ２１を附勢するスプリング附勢手段（図示せず）の低部を支持する。
　　　【００５３】
　ヘッドＲＫ内の第２シェービングユニット１４は、第１のものと同一であり、フォイル１７およびインナーカッタ２２を有する。第１および第２シェービングユニットの間で、ロングヘアカッティングユニット１５がそれらと平行に置かれる。
　　　【００５４】
　ロングヘアカッティングユニット１５は、またフォイル２０とインナーカッタ３４を有するが、ロングヘアを取る改善されたフォイル２０、インナーカッタ３４によるカッティングのために、小孔の代りにスロットを有する。当該発明の他の実施例のように、ロングヘアカッタ１５は、浮動的動作のため、スプリングに対してショートヘアカッタ１３、１４に関して取り付けられている。
　　　【００５５】
　第１カッタ２１を駆動するため、横ドライブスロット６２はカッタ２１の長さに沿って中間位置に取り付けられたドライブヨーク６３の中に備えられており、ドライブペッグ６４は、本体から直立し、スロット６２と係合する。スロット６２のフランクピースは、シェーバー本体７上のヘッドＲＫの回転位置に拘らず、常にドライブペグ６４の側面に位置するように、充分に広くなっている。スロットにおけるドライブペグ６４の極端なポジションは、図２３に表されている。
　　　【００５６】
　第２カッタ２２は、まさに同一の方法で、第２ドライブペグ６５により駆動される。トリマーユニット１５のインナーカッタ３４はは対応した方法で駆動される。
　　　【００５７】
　さて、図２４を参照すると、この図は３つのシェービングユニット１３、１４、１５を有する揺動可能なヘッドＲＫを組込むドライシェービング装置の作業端部の斜視図を示す。さらに、トリマー３は本体１の前面に備えられている。図２４は、その中心位置における揺動ヘッドＲＫを示す。図２５は図２４に対応するが、充分に（ｆｕ１１ｙ）傾いた位置における揺動ヘッドＲＫを示す。
　　　【００５８】
　ヘッドＲＫの揺動動作が達成される、図２４、２５の実施例における２つの傾斜（ｔｉｌｔｉｎｇ）メカニズムの変形例は、最初に図２６に示され、第２に図２７、２８、２９に示される。この傾斜メカニズムは、また図２３の実施例で実施してもよい。
　　　【００５９】
　分図２６（ａ）、２６（ｂ）、２６（ｃ）から成る図２６は、図２３の実施例の変形例としてもよい。両図２３、２６の実施例の観点から、シェーバーヘッドは固定された幾何形状になっており（シェーバー本体に関し移動自在であるが）、個々のシェービングユニットはシェーバーヘッドに対する位置で固定されている。図２３の実施例の中で、シェーバーヘッドの回動（ｐｉｖｏｔｉｎｇ）または揺動（ｒｏｃｋｍｇ）運動は、平行四辺形リンクが用いられている図２６の実施例において、従来のピボット又はリビングヒンジにより達成される。図２６ではシェーバーヘッドＲＫは２対の垂直サイドメンバ７１、７２の上端上に取り付けられている（サイドメンバの一対はシェーバーの各側面に備え付けられてもよい）。当該対の垂直サイドメンバ７！、７２は、シェーバーの各側面にて、横リンクメンバ７３、７４と共に、４本バー取付けリンク（ｆｏｕｒ　ｂａｒ皿ｏｕｎｔｉｎｇ　ｌｉｎｋａｇｅ）が構成されている。各リンク７３、７４はベルクランクレバーを構成する。
　　　【００６０】
　ベルクランクレバー７３、７４は、各ピボット位置７７、７８にて、シェーバーフレーム（図示せず）の固定位置に回転自在に取付けられている。これらのシェーバーフレームの固定位置は、シェーバーの中央面７５上に配置されている。この構成を通じて、仮想上のピボット中心７６が、シェーバーヘッドＲＫに対し垂直サイドメンバ７１、７２の取付け位置よりかなり上方に形成される。事実、仮想上のピボットは回動ずる三角形またはベルクランクリンク７３、７４の大きさに従属したスキンレベル上、上方、または下方に配置されてもよい。これは、図２３の実施例に必要な物理的な上方ピボット配置を必要とすることなく、達成してもよい。
　　　【００６１】
　図２６（ａ）は右側の方向に枢動されたリンク機構を示し、図２６（ｂ）は中心位置にあるリンク機構を示し、図２６（ｂ）は左方に枢動されたリンク機構を示すことは理解されよう。
　　　【００６２】
　実質上の枢動中心を自由に配置できるという利点に加えて、シェーバヘッドを取り付けるこの方法は、複数のフォイル、例えば図２３、図２４又は図２５に示されるような３つのフォイル或はそれ以上のフォイルを支持することのできる単一の堅く結合されたフォイルフレームアセンブリを提供する。更に、上部の実質上の枢動中心の使用により、フォイルの側部上でのシェービングに先立ち、シェービング中における個々のフォイルが枢動ずる傾向は除去され得る。
　　　【００６３】
　ここで、図２７〜図２９を参照すると、垂直方向（ｖｅｒｔｉｃａｌ）のサイドメンバ（側部部材）７１、７２と、ピボットポイント（ｐｉｖｏｔ　ｐｏｉｎｔ）７７，７８で本体に
枢支されたベルクランクレバーの形の２つのロッキングリンク（揺動リンク）７３，７４とを備える他の形態の平行リンク機構（ｐａｒａｌｌｅｌｏｇｒａｍ　ｌｉｎｋａｇｅ）が示
されている。図２６で用いられた方法とは反対に、ここでは、アーム７１，７２の上端部はリンクメンバ７９に固定されており、このリンクメンバ７９はロッキングヘッド（揺動ヘッド）ＲＫの側部に固定されている。更に、この機構における全てのピボットポイントは、図５及び図６に示されるものと同様に、リビングヒンジ（ｌｉｖｉｎｇ　ｈｉｎｇｅ）１５０〜１５５により達成されている。図２７及び図２９は、傾動動作（ティルティングアクション）における２つの極限状態にある機構を明示しており、図２８は、中央位置にある機構を示している。
　　　【００６４】
　図３０は図２７〜図２９の装置を正面図で示している。この図には、ピボットポイント７７，７８の形態がより明瞭に示されている。また、この図は、対応のピボットポイント７７ａ，７８ａが、対応の傾動機構（ティルティングメカニズム）と共に、装置の他方の側部に設けられていることも示している。図２８は、図３０の装置の端面図として取り扱うこともできる。
　　　【００６５】
　図３１を参照すると、内部カッタ２１は複数の弧状のブリッジカッタエレメント４００を有しており、これらのエレメント４００は、その外方に凸状の外面上におけるシェーバのカッティングフォイルと共働するための、部分的に円筒形のカッティング面を画成している。実際には、ブリッジエレメントの弧は円弧形であり、従って、カッタは下方からは完全に開放され、高い異物透過性（ｄｅｂｒｉｓ　ｔｒａｎｓｐａｒｅｎｃｙ）を提供するようになっている。
　　　【００６６】
　ブリッジエレメント４００の第１端部８２は全て、第１のサポートビーム４１０により結合され、この第１のサポートビーム４１０はカッタの長さを延ばしている。同様なサポートビーム８４がブリッジエレメント４００の全ての第２端部を結合し、第１のビームと第２のビームがカッタのブリッジの両側から互いに対向するようにしている。
　　　【００６７】
　各ビーム４１０の各々の長さ方向に沿う中間部分、８４には、２つの小さなプラスチックリベット４４０により、プラスチック材料から成るヨーク４３０が取り付けられており、これらのリベット４４０は、ヨーク４３０の穴と、ビーム４１０の他の部分から下方に短い距離で延びるフィン８６とを貫通して延びている。各ヨーク４３０は、ドライブペグ（ｄｒｉｖｅ　ｐｅｇ）の横向きのピンを受け入れるた
めのスロット４２０を画成するものである。
　　　【００６８】
　平坦な金属片で弧状のカッタの製造を始めるのが好適である。或る適用可能な製造方法において、第１のステップは、焼入性鋼（ｈａｒｄｅｎａｂｌｅ　ｓｔｅｅｌ）の平坦な加工品（ワークピース）を所望の弧状形状にプレス加工し、次いで、横方向にスリッティング（ｓｌｉｔｔｉｎｇ）、研削（ｇｒｉｎｄｉｎｇ）、切削（ｃｕｔｔｉｎｇ）することにより
カッタエレメントを形成することとなっている。必須の熱処理工程は、スリッティング工程の前又は後、好ましくは前に実行される。
　　　【００６９】
　そして、金属加工品の弧状部材へのプレス加工の後、熱処理工程が実行され、鋼が焼入れないしは硬化される。次いで、横方向のスロットが形成され、その結果として生じたアーティクル（物品）は縦方向輪郭研削（ｌｏｎｇｉｔｕｄｉｎａｌ　ｐｒｏｆｉｌｅｇｒｉｎｄｉｎｇ）を用いて研削されて、所望の最終寸法とされる。
　　　【００７０】
　　【発明の効果】
　本発明は、以上のように構成されているので、シェービングユニットとシェーブされる肌との係合が簡単な方法で改善される。
【図面の簡単な説明】
　本発明のよりよい理解と、どのように実施し、作用するかを明白にするために、添付図面を一例として参照する。
　　【図１】
　図１は、本発明の第１実施例に係るドライシェービング装置の一部を分解し、一部を取外した斜視図である。
　　【図２】
　図２は、Ｘ−Ｘの線に対して垂直な平面上に図１の装置のシェービングヘッドを取りだした断面図である。
　　【図３】
　図３は、Ｘ−Ｘの線を含む平面における図１の装置のシェービングヘッド縦方向の断面図である。
　　【図４】
　図４は、本発明に係るシェービング装置の第２の実施例の図２に対応する断面図である。
　　【図５】
　図５は、本発明の他の実施例に係るドライシェーバの端部概要図である。
　　【図６】
　図６は、図５と同一の図であるが、シェービングユニットが静止位置から、一方が静止位置より上方へ、他方が下方へ変位している。
　　【図７】
　図７は、中央部に示す内部カッタと共に、図５の１つのシェービングフォイルの縦方向軸を含む縦断面図である。
　　【図８】
　図８は、図７に対応する縦断面図であるが、内部カッタが移動している。
　　【図９】
　図９ａは、スプリング付勢システムの内部をより詳細に示す図５に対応する横方向の断面図である。
　図９ｂは、シェービングヘッドのドライブメカニズムの内部をより詳細に示す図５に対応する横方向の断面図である。
　　【図１０】
　図１０は、本発明に係るシェービング装置の他の実施例の分解図である。
　　【図１１】
　図１１は、図１０の装置の横方向の分解断面図である。
　　【図１２】
　図１２は、図１０と図１１の３つのヘッド付きシェービング装置（ｔｒｉｐｌｅ　ｈｅａｄｅｄ　ｄｒｙ　ｓｈａｖｅｒ　ａｐｐａｒａｔｕｓ）の横方向の断面図である。
　　【図１３】
　図１３は、図１２に対応する横方向の断面図であるが、ロングヘアカッタの構造は変形例である。
　　【図１４】
　図１４は、図１０の実施例のロングヘアカッタの縦方向の断面図である。
　　【図１５】
　図１５は、図１０の実施例の１つのショートヘアカッタの縦方向の断面図である。
　　【図１６】
　図１６は、本発明の他の実施例に係る３つのヘッド付きドライシェーバ装置の分解斜視図である。
　　【図１７】
　図１７は、図１６の３つのヘッド付きドライシェーバ装置の横方向の分解断面図である。
　　【図１８】
　図１８は、図１６の３つのヘッド付きドライシェーバ装置の横方向の断面図であり、またロングヘアカッタの拡大図を示している。
　　【図１９】
　図１９は、ロングヘアカッタ構造の変形例の拡大図を示す図１８に対応する横方向の断面図である。
　　【図２０】
　図２０は、図１６のショートヘアカッタ構造の縦方向の断面図である。
　　【図２１】
　図２１は、図１８の装置のロングヘアカッタ構造の縦方向の断面図である。
　　【図２２】
　図２２は、図１９の装置のロングヘアカッタの他の実施例の縦方向断面図である。
　　【図２３】
　図２３は、本発明の他の実施例の横方向部分である。
　　【図２４】
　図２４は、図１、図１０または図１６の実施例に係る、中央部にロック可能なヘッドを有する、組立てられた状態のドライシェーバ装置の上部分の斜視図である。
　　【図２５】
　図２５は、図２４に対応する斜視図であるが、ロック可能なヘッドが斜めに位置している。
　　【図２６】
　図２６は、独立な図２６（ａ）、２６（ｂ）、２６（ｃ）を備えており、図２３の実施例で用いられるピボットメカニズムの概要図である。
　　【図２７】
　図２７は、第１の位置の内部ピボットメカニズムを示すために、１つの端部プレーとが外された図２４と図２５の構造の側面図である。
　　【図２８】
　図２８は、第２の位置の内部ピボットメカニズムを示すために、１つの端部プレーとが外された図２４と図２５の構造の側面図である。
　　【図２９】
　図２９は、第３の位置の内部ピボットメカニズムを示すために、１つの端部プレーとが外された図２４と図２５の構造の側面図である。
　　【図３０】
　図３０は、図２７から図２９の装置の前面図である。
　　【図３１】
　図３１は、図１から図３０の実施例での使用に適するアンダーカッタの一例の斜視図である。
　　【符号の説明】
１　ハウジング、２　オンオフスイッチ、３　トリマ、４　上部ハウジング表面、６　ドライブピン、７、８　ハウジング側面、９、１０　サポートアーム、１１　ベアリングピン、１２　ベアリングホール、ＲＫ　シェーバヘッド、１３、１４、１５　シェービングユニット、１６、１７　外部カッタ、１８　シェービングヘッドフレーム、１９　フレーム、２０　外部カッタ、２１、２２　内部カッタ、２３　結合エレメント、２４　べースプレート、２５、２６、２７　レセプタクル、２８、２９、３０　カバー、３１、３２、３３　圧縮スプリング、３４　内部カッタ（下部カッタ）、３５、３６、３７　滑り穴、３８、３９　結合エレメント、４０　ドライブエレメント、４１　スロット、４２、４３、４４ピン、４５　スプリング、４６　結合エレメント、４７、４８　ガイドエレメント、４９、５０　内壁、５１、５２　ガイド溝、５３、５４　ベアリングアーム、６０　シェービングヘッドフレーム、６２　ドライブスロット、６３　ドライブヨーク、６４　ドライブペッグ、６６　駆動部材、７１、７２　垂直サイドメンバー、７３、７４　横型ロッカリンク（ベルクランクレバー）、７９　リングメンバー、８４　サポートビーム、９０、９１　サポート面、９６　カバー、１２０　スロットアレンジメント、１３１　上部リンク（ロッキングリンク）、１４１　下部リンク（ロッキングリンク）、１５０、１５１、１５２、１５３、１５４、１５５　リビングヒンジ、２１０　第１の端面板、２２０　第２の端面板、２３０、２４０　スプリング付勢エレメント、２５０、２６０　カップ、２７１　ピン、２８０　デテント、３０１　カップリングメンバー、３１０　下端、３１１、３２２　筒耳ピン３４１　フラットスプリング、３４２、３４３　ガイドメンバー、４００　金属刃（ブリッジエレメント）、４１０　背後部、４２０　スロット、４３０　ドライブレシービングエレメント（ヨーク）、４４０　リベット、４６０　上端（ドライブバー）、５００　第１ドライブペック、５２０　第２ドライブペック。